(57)【要約】      （修正有）【課題】着用したままの状態で、飲食等をすることが可能なマスクを提供する。【解決手段】マスクは、内側に開口部１０が設けられたマスク枠体１と、マスク枠体の側方に取り付けられた耳係止部６と、少なくとも下部が係止具８を介してマスク枠体に着脱可能なマスク蓋体７と、を備える。マスク枠体の開口部の部分から飲食物を口に運ぶことができるのでマスクを着用したままで飲食ができ、また、マスク蓋体を交換することで清潔に保つこともできる。【選択図】図１
0003231861.tif 000002
【実用新案登録請求の範囲】
【請求項１】
内側に開口部が設けられたマスク枠体と、
前記マスク枠体の側方に取り付けられた耳係止部と、
少なくとも下部が係止具を介して前記マスク枠体に着脱可能なマスク蓋体と、を備える、
マスク。
【請求項２】
前記係止具は、面ファスナーである、
請求項１に記載のマスク。
【請求項３】
前記マスク蓋体の全体が前記マスク枠体に着脱可能である、
請求項１または２に記載のマスク。
【請求項４】
前記マスク枠体の下枠部が可撓性部材で形成され、当該下枠部は、使用者の顎の下側に保持可能である、
請求項１から３のいずれか１項に記載のマスク。
【請求項５】
前記マスク蓋体の上部は、前記マスク枠体の上枠部に縫合されている、
請求項１または２に記載のマスク。
【請求項６】
前記マスク蓋体は布製であり、当該マスク蓋体には針金が設けられている、
請求項１から５のいずれか１項に記載のマスク。
【請求項７】
前記マスク蓋体における左右両側に、針金が１本ずつ設けられている、
請求項６に記載のマスク。
【請求項８】
前記マスク蓋体における左右両側と左右方向の中央とに、針金がそれぞれ１本ずつ設けられている、
請求項６に記載のマスク。
【請求項９】
前記針金が前記マスク蓋体の厚さ方向中央部に挿入されている、
請求項６から８のいずれか１項に記載のマスク。
【請求項１０】
前記マスク枠体は、布製であり、前記マスク蓋体は、不織布で形成されている、
請求項１から５のいずれか１項に記載のマスク。
【考案の詳細な説明】
【技術分野】
【０００１】
本考案は、マスクに関する。
【背景技術】
【０００２】
使用者の飛沫の飛散を防止する等の目的で使用されるマスクが公知である（例えば特許文献１参照）。特許文献１のマスクは、使用者の口部分を覆うマスク本体と、マスク本体の左右両側部に取り付けられる耳係止部と、を備えている。そして、当該マスクは、耳係止部の長さを調整可能にしている。
【先行技術文献】
【特許文献】
【０００３】
【特許文献１】実用新案登録第３１９７１８１号公報
【考案の概要】
【考案が解決しようとする課題】
【０００４】
ところで、飲食をする場合などにマスクを外す必要があるため、面倒であるという問題があった。
【０００５】
本考案の目的は、着用したままの状態で、飲食等を行うことが可能なマスクを提供することである。
【課題を解決するための手段】
【０００６】
前述した課題を解決し、目的を達成するために、本考案の一態様に係るマスクは、内側に開口部が設けられたマスク枠体と、前記マスク枠体の側方に取り付けられた耳係止部と、少なくとも下部が前記マスク枠体に着脱可能なマスク蓋体と、を備える。
【考案の効果】
【０００７】
本考案によれば、着用したままの状態で、飲食等をすることが可能なマスクを提供することが可能となる。
【図面の簡単な説明】
【０００８】
【図１】図１は、第１実施形態によるマスクの正面図である。
【図２】図２は、第１実施形態によるマスク枠体および耳係止部を示す正面図である。
【図３】図３は、第１実施形態によるマスク蓋体を示す正面図である。
【図４】図４は、第１実施形態によるマスクを着用した使用者を示す正面図である。
【図５】図５は、第１実施形態によるマスク蓋体の下部を外した状態を示す正面図である。
【図６】図６は、第１実施形態によるマスク蓋体の下部を外して飲料を飲んでいる状態を示す正面図である。
【図７】図７は、第１実施形態によるマスク蓋体をマスク枠体から取り外している状態を示す正面図である。
【図８】図８は、第２実施形態によるマスク枠体を示す正面図である。
【図９】図９は、第２実施形態によるマスク蓋体を示す背面図である。
【図１０】図１０は、第３実施形態によるマスク蓋体を示す正面図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。なお、図面において、Ｘ方向はマスクを正面から見た場合の左右方向（横方向）、Ｙ方向はマスクの上下方向（縦方向）である。Ｘ方向とＹ方向とは互いに直交する。
［第１実施形態］
まず、第１実施形態によるマスクについて説明する。図１は、第１実施形態によるマスクの正面図である。図２は、第１実施形態によるマスク枠体および耳係止部を示す正面図である。図３は、第１実施形態によるマスク蓋体を示す正面図である。
【００１０】
図１から図３に示すように、マスク１００は、マスク枠体１と、耳係止部６と、マスク蓋体７と、係止具８と、を備える。マスク枠体１の上側にマスク蓋体７が重なっているため、マスク蓋体７が実線で示され、マスク枠体１が破線で示される。
【００１１】
図２に示すように、マスク枠体１は、内側に開口部１０が設けられたフレーム部材である。マスク枠体１は、正面から見た場合に、例えば、ロ字形状を有する。ただし、本考案に係るマスク枠体の形状は、ロ字形状に限定されない。即ち、内側に開口部１０を有する形状であればよい。マスク枠体１は、第１枠部（下枠部）２と、第２枠部３と、第３枠部（上枠部）４と、第４枠部５と、を有する。
【００１２】
第１枠部（下枠部）２は、端２３から端２６までＸ方向に沿って延びる。第１枠部２の外縁２１は、第１枠部２におけるＹ２側の縁である。第１枠部２の内縁２２は、第１枠部２におけるＹ１側の縁である。外縁２１および内縁２２は、互いに略平行に延びる。従って、第１枠部２は、Ｘ方向に沿って延びる帯状体である。第１枠部（下枠部）２は、布や不織布等の可撓性部材で形成されている。
【００１３】
第２枠部３は、端２３から端２４までＹ方向に沿って延びる。第２枠部３の外縁３１は、第２枠部３におけるＸ１側の縁である。第２枠部３の内縁３２は、第２枠部３におけるＸ２側の縁である。外縁３１および内縁３２は、互いに略平行に延びる。従って、第２枠部３は、Ｙ方向に沿って延びる帯状体である。
【００１４】
第３枠部（上枠部）４は、端２４から端２５までＸ方向に沿って延びる。第３枠部４の外縁４１は、第３枠部４におけるＹ１側の縁である。第３枠部４の内縁４２は、第３枠部４におけるＹ２側の縁である。外縁４１および内縁４２は、互いに略平行に延びる。従って、第３枠部４は、Ｘ方向に沿って延びる帯状体である。
【００１５】
第４枠部５は、端２５から端２６までＹ方向に沿って延びる。第４枠部５の外縁５１は、第４枠部５におけるＸ２側の縁である。第４枠部５の内縁５２は、第４枠部５におけるＸ１側の縁である。外縁５１および内縁５２は、互いに略平行に延びる。従って、第４枠部５は、Ｙ方向に沿って延びる帯状体である。
【００１６】
耳係止部６は、第１実施形態では、耳ひもである。耳係止部６は、マスク枠体１の側方に取り付けられる。耳係止部６は、Ｘ１側の耳係止部６Ａと、Ｘ２側の耳係止部６Ｂと、を有する。具体的には、Ｘ１側の耳係止部６Ａの両端は、第２枠部３における端２３と端２４とに固定されている。Ｘ２側の耳係止部６Ｂの両端は、第４枠部５における端２５と端２６とに固定されている。耳係止部６は、例えば弾性変形可能なゴム製である。
【００１７】
図３では、第１実施形態のマスク蓋体を正面である前側から見ている。従って、後述する第２係止具は、隠れて見えないため、破線で示している。図３に示すように、マスク蓋体７は、正面から見た場合に、矩形形状を有する。マスク蓋体７は、第１縁７１と、第２縁７２と、第３縁７３と、第４縁７４とを有する。
【００１８】
第１縁７１は、端７５から端７６までＸ方向に沿って延びる。第１縁７１は、端７５から端７６までＸ方向に沿って延びる。第２縁７２は、端７６から端７７までＹ方向に沿って延びる。第３縁７３は、端７７から端７８までＸ方向に沿って延びる。第４縁７４は、端７８から端７５までＹ方向に沿って延びる。
【００１９】
次に、係止具８について説明する。係止具８は、例えば、面ファスナーである。従って、実施形態に係る係止具８は、マスク枠体１に設けられる係止具８と、マスク蓋体７に設けられる係止具８と、を備える。よって、マスク枠体１の係止具８とマスク蓋体７の係止具８とが付着することにより、マスク蓋体７がマスク枠体１に取り付けられ、マスク枠体１の係止具８とマスク蓋体７の係止具８とが離れることにより、マスク蓋体７がマスク枠体１から取り外される。
【００２０】
図２に示すように、マスク枠体１の係止具８は、マスク枠体１に合計４つ固定されている。具体的には、マスク枠体１の係止具８は、係止具８１Ａと、係止具８２Ａと、係止具８３Ａと、係止具８４Ａと、を有する。係止具８１Ａは、マスク枠体１の第３枠部４に固定される。係止具８１Ａは、Ｘ方向に沿って延びる。係止具８１Ａは、端８１Ａａから端８１Ａｂまで第３枠部４の略全長に亘って延びる。係止具８２Ａ、係止具８３Ａおよび係止具８４Ａは、第１枠部２に固定される。係止具８２Ａ、係止具８３Ａおよび係止具８４Ａは、それぞれ係止具８１Ａよりも短い。係止具８２Ａは、第１枠部２のＸ１側の端部に位置する。係止具８３Ａは、第１枠部２のＸ方向の中央に位置する。係止具８４Ａは、第１枠部２のＸ２側の端部に位置する。
【００２１】
図３に示すように、マスク蓋体７の係止具８は、マスク蓋体７に合計４つ固定されている。具体的には、マスク蓋体７の係止具８は、係止具８１Ｂと、係止具８２Ｂと、係止具８３Ｂと、係止具８４Ｂと、を有する。係止具８１Ｂは、マスク蓋体７のＹ１側の端部に固定される。係止具８１Ｂは、Ｘ方向に沿って延びる。係止具８１Ｂは、端８１Ｂａから端８１Ｂｂまでマスク蓋体７のＸ方向の略全長に亘って延びる。係止具８２Ｂ、係止具８３Ｂおよび係止具８４Ｂは、マスク蓋体７のＹ２側の端部に固定される。係止具８２Ｂ、係止具８３Ｂおよび係止具８４Ｂは、それぞれ係止具８１Ｂよりも短い。係止具８２Ｂは、マスク蓋体７のＸ１側の端部に位置する。係止具８３Ｂは、マスク蓋体７のＸ方向の中央に位置する。係止具８４Ｂは、マスク蓋体７のＸ２側の端部に位置する。
【００２２】
そして、マスク枠体１にマスク蓋体７を重ねた状態においては、マスク枠体１の係止具８１Ａは、マスク蓋体７の係止具８１Ｂと略同一の位置に配置される。従って、マスク枠体１の係止具８１Ａは、マスク蓋体７の係止具８１Ｂに付着される。また、係止具８２Ａは、係止具８２Ｂに付着される。係止具８３Ａは、係止具８３Ｂに付着される。係止具８４Ａは、係止具８４Ｂに付着される。
【００２３】
次に、第１実施形態によるマスクの使用手順を簡単に説明する。図４は、第１実施形態によるマスクを着用した使用者を示す正面図である。図５は、第１実施形態によるマスク蓋体の下部を外した状態を示す正面図である。図６は、第１実施形態によるマスク蓋体の下部を外して飲料を飲んでいる状態を示す正面図である。図７は、第１実施形態によるマスク蓋体をマスク枠体から取り外している状態を示す正面図である。
【００２４】
図４に示すように、マスク蓋体７の全体をマスク枠体１に取り付けた場合、使用者Ｐは、通常のマスクと同様に使用することができる。なお、第１実施形態によるマスク１００は、通常のマスクに比べて、マスク蓋体７とマスク枠体１との間に隙間ができるため、使用者Ｐの吐く息がマスク１００の前記隙間から抜けやすい特徴がある。従って、使用者Ｐが眼鏡を掛けている場合であっても、当該眼鏡が曇りにくくなる。
【００２５】
そして、使用者Ｐが飲食をする場合は、図５に示すように、マスク蓋体７の下部をマスク枠体１から取り外す。具体的には、マスク蓋体７の係止具８２Ｂ、係止具８３Ｂおよび係止具８４Ｂを、マスク枠体１の係止具８２Ａ、係止具８３Ａおよび係止具８４Ａから取り外す。その後、マスク蓋体７の下部を上側に持ち上げる。なお、図５に示すように、マスク枠体１の第１枠部２（図２参照）を使用者Ｐの顎の下側に保持させてもよい。
【００２６】
そして、図６に示すように、マスク蓋体７の上部をマスク枠体１に付けた状態で、使用者Ｐは、マスク１００を着用したまま、飲食を行うことができる。なお、マスク蓋体７をマスク枠体１から取り外す場合は、図７に示すように、使用者Ｐがマスク枠体１を把持したままマスク蓋体７の全ての係止具をマスク枠体１の係止具から取り外す。具体的には、マスク蓋体７の係止具８１Ｂ、係止具８２Ｂ、係止具８３Ｂおよび係止具８４Ｂを、マスク枠体１の係止具８１Ａ、係止具８２Ａ、係止具８３Ａおよび係止具８４Ａから取り外す。
【００２７】
以上説明したように、第１実施形態に係るマスク１００は、内側に開口部１０が設けられたマスク枠体１と、マスク枠体１の側方に取り付けられた耳係止部６と、少なくとも下部が係止具８を介してマスク枠体１に着脱可能なマスク蓋体７と、を備える。従って、使用者Ｐは、マスク蓋体７の下部のみをマスク枠体１から取り外して、口の部位を露出させることにより、マスク１００を着用したままの状態で飲食等を行うことが可能となる。
【００２８】
そして、係止具８は、面ファスナーであるため、安価なコストで係止具８を入手でき、また、簡単な動作でマスク蓋体７をマスク枠体１から取り外すことが可能となる。
【００２９】
さらに、マスク蓋体７の全体がマスク枠体１に着脱可能であるため、マスク蓋体７が汚れた場合や損傷した場合などに、マスク蓋体７のみを交換したり洗濯したりすることができる。同様に、マスク枠体１が汚れた場合や損傷した場合などに、マスク枠体１のみを交換したり洗濯したりすることができる。
【００３０】
マスク枠体１の第１枠部（下枠部）２が可撓性部材で形成され、第１枠部（下枠部）２は、使用者の顎の下側に保持可能である。これによれば、使用者Ｐの口周辺部をより大きく露出させることができる。このため、より飲食しやすくなり、また、飲食時にマスク１００が汚れにくくなる。
［第２実施形態］
次に、第２実施形態によるマスクについて説明する。ただし、第１実施形態で説明した構成と同じ構成については、同一の符号を付けて説明を省略する。
【００３１】
図８は、第２実施形態によるマスク枠体を示す正面図である。図９は、第２実施形態によるマスク蓋体を示す背面図である。なお、第１実施形態の図３は、マスク蓋体の正面（表面）から見た図であるが、第２実施形態の図９は、マスク蓋体の背面（裏面）から見ている。従って、図３と図９とでは、左右方向の位置が反対になっており、図９では、マスク蓋体７０の裏面７０ａが露出している。
【００３２】
第２実施形態では、マスク枠体およびマスク蓋体は布製である。図８に示すように、マスク枠体１Ａには、開口部１０Ａが内側に設けられている。開口部１０ＡのＹ２側には、第１枠部（下枠部）２０が設けられている。第１枠部（下枠部）２０は、Ｘ方向に沿って延びる。開口部１０ＡのＹ１側には、第３枠部（上枠部）４０が設けられている。第３枠部（上枠部）４０は、Ｘ方向に沿って延びる。
【００３３】
マスク枠体１Ａの上部（Ｙ１側の端部）および下部（Ｙ２側の端部）には、係止具８０が固定されている。具体的には、マスク枠体１Ａの上部（Ｙ１側の端部）には、係止具８１０Ａが固定される。係止具８１０Ａは、Ｘ方向に沿って延びる。係止具８１０Ａは、開口部１０Ａよりも長く形成される。即ち、係止具８１０Ａは、端８１０Ａａから端８１０Ａｂまで左右方向に沿って延びている。また、マスク枠体１Ａの下部（Ｙ２側の端部）には、係止具８２０Ａ、８３０Ａ、８４０Ａが固定される。係止具８２０Ａは、開口部１０ＡよりもＸ１側に位置する。係止具８３０ＡのＸ方向の位置は、開口部１０ＡのＸ方向の中央と略同一である。係止具８４０Ａは、開口部１０ＡよりもＸ２側に位置する。
【００３４】
また、マスク枠体１Ａの左右両側には、耳係止部６０が設けられる。マスク枠体１ＡのＸ１側には、耳係止部６０Ａが設けられる。耳係止部６０Ａには、円形の穴６１が貫通している。マスク枠体１ＡのＸ２側には、耳係止部６０Ｂが設けられる。耳係止部６０Ｂには、円形の穴６２が貫通している。
【００３５】
図９に示すように、マスク蓋体７０は、背面から見て略矩形状である。マスク蓋体７０は、布製である。マスク蓋体７０は、第１縁７１０と、第２縁７２０と、第３縁７３０と、第４縁７４０とを有する。第１縁７１０は、Ｘ方向に沿って延びる。第２縁７２０は、Ｙ方向に沿って延びる。第３縁７３０は、Ｘ方向に沿って延びる。第４縁７４０は、Ｙ方向に沿って延びる。
【００３６】
マスク蓋体７０におけるＹ１側の端部には、係止具８１０Ｂが固定される。係止具８１０Ｂは、端８１０Ｂａから端８１０ＢｂまでＸ方向に沿って延びる。係止具８１０ＢのＸ方向の長さは、マスク蓋体７０のＸ方向の長さと略同一である。マスク蓋体７０におけるＹ２側の端部には、係止具８２０Ｂ、８３０Ｂ、８４０Ｂが固定される。３つの係止具のうち、係止具８２０Ｂが最もＸ１側に位置し、係止具８３０ＢがＸ方向の中央に位置し、係止具８４０Ｂが最もＸ２側に位置する。
【００３７】
係止具８１０Ａは係止具８１０Ｂに固定され、係止具８２０Ａは係止具８２０Ｂに固定され、係止具８３０Ａは係止具８３０Ｂに固定され、係止具８４０Ａは係止具８４０Ｂに固定される。
【００３８】
さらに、マスク蓋体７０には、針金３１０、３２０、３３０が取り付けられている。針金３１０は、マスク蓋体７０のＸ１側の端部に配置される。針金３１０は、係止具８１０Ｂから係止具８２０ＢまでＹ方向に延びる。針金３１０は、粘着テープ２１０によってマスク蓋体７０の裏面７０ａに固定される。即ち、マスク蓋体７０の裏面に針金３１０を載置したのち、針金３１０の上から粘着テープ２１０を貼り付けることによって、針金３１０が粘着テープ２１０を介してマスク蓋体７０の裏面７０ａに固定される。
【００３９】
また、針金３２０は、マスク蓋体７０のＸ方向の中央に配置される。針金３２０は、係止具８１０Ｂから係止具８３０ＢまでＹ方向に延びる。針金３２０は、粘着テープ２２０によってマスク蓋体７０の裏面７０ａに固定される。さらに、針金３３０は、マスク蓋体７０のＸ２側の端部に配置される。針金３３０は、係止具８１０Ｂから係止具８４０ＢまでＹ方向に延びる。針金３３０は、粘着テープ２３０によってマスク蓋体７０の裏面７０ａに固定される。
【００４０】
なお、図９では、マスク蓋体７０における左右両側と左右方向の中央とに、針金がそれぞれ１本ずつ設けられている態様を示したが、本考案は、これに限定されず、マスク蓋体７０における左右両側に、針金が１本ずつ設けられている態様も含むものとする。即ち、図９のように３本の針金を取り付けてもよく、２本の針金３１０および針金３３０を取り付けてもよい。さらに、粘着テープ２１０、２２０および２３０によって針金３１０、３２０および３３０を固定したが、接着剤を用いて針金３１０、３２０および３３０をマスク蓋体７０に接着（固定）してもよい。
【００４１】
以上説明したように、第２実施形態において、マスク蓋体７０が布製であり、マスク蓋体７０には針金３１０、３２０、３３０が固定されている。これによれば、マスク蓋体７０が布製であるため、柔らかく可撓性が高い。従って、使用者Ｐが飲食時にマスク蓋体７０を持ち上げた場合に、マスク蓋体７０が下方に落ちやすい。そこで、針金３１０、３２０、３３０をマスク蓋体７０に取り付けることによって、マスク蓋体７０を持ち上げたときに針金３１０、３２０、３３０がマスク蓋体７０と共に塑性変形してマスク蓋体７０が保持され、手をマスク蓋体７０から離してもマスク蓋体７０が下方に落ちにくい。
【００４２】
マスク蓋体７０における左右両側に、針金３１０および針金３３０が設けられる。このように、マスク蓋体７０における左右両側に、それぞれ針金３１０、３３０を固定すれば、針金は２本ですむため、必要な針金の数をより少なくすることができる。
【００４３】
マスク蓋体７０における左右両側と左右方向の中央とに、針金３１０、３２０、３３０を設けて合計３本の針金にすれば、マスク蓋体７０の下部を外して上側に持ち上げたときのマスク蓋体７０の形状保持力がさらに高くなる。
［第３実施形態］
次に、第３実施形態によるマスクについて説明する。ただし、第１および第２実施形態で説明した構成と同じ構成については、同一の符号を付けて説明を省略する。図１０は、第３実施形態によるマスク蓋体を示す正面図である。
【００４４】
図１０に示すように、第３実施形態では、マスク蓋体７は布製であるが、第２実施形態のマスク蓋体７０よりも厚い布を適用する。従って、第３実施形態では、マスク蓋体７０の厚さ方向中央部に針金３４０、３５０、３６０を挿入している。針金３４０、３５０、３６０の長さは、マスク蓋体７の縦方向の長さと略同一である。
【００４５】
図１０に示すように、針金３４０は、マスク蓋体７のＸ２側の端部に配置される。針金３４０は、端３４０ａから端３４０ｂまでＹ方向に延びる。針金３５０は、マスク蓋体７のＸ方向の中央に配置される。針金３５０は、端３５０ａから端３５０ｂまでＹ方向に延びる。針金３６０は、マスク蓋体７のＸ１側の端部に配置される。針金３６０は、端３６０ａから端３６０ｂまでＹ方向に延びる。
【００４６】
以上説明したように、第３実施形態では、マスク蓋体７の厚さ方向中央部に針金３４０、３５０、３６０が挿入されている。これによれば、粘着テープや接着剤を用いることなく、針金３４０、３５０、３６０をマスク蓋体７に装着することができるため、外側から針金３４０、３５０、３６０が見えなくなり、外観品質の向上を図ることができる。
［変形例］
以上、本考案を第１から第３実施形態を用いて説明したが、本考案はこれらの実施形態に限定されず、種々の変形および変更が可能である。
【００４７】
例えば、マスク蓋体の上部をマスク枠体の上枠部に縫合してもよい。これによれば、面ファスナーなどの係止具に対して、マスク蓋体の上部をマスク枠体の上枠部に、より強固に固定することができる。従って、飲食時等にマスク蓋体を持ち上げても、マスク蓋体がマスク枠体に対して更に外れにくくなる。
【００４８】
また、マスク枠体を布製とし、マスク蓋体を不織布で形成してもよい。まず、布は、吸湿性があって肌触りもよいため、使用者の皮膚に長時間接した場合でもかぶれにくく快適である。また、布は、柔らかく可撓性が高いため、使用者の顔の形状に沿って変形して皮膚に密着しやすい。従って、布は、マスク枠体として好ましい。
【００４９】
一方、不織布は、繊維同士の網目の隙間が小さい。マスクの目的は、例えば使用者の飛沫を捕捉することである。従って、網目の隙間がより小さい方が望ましい。以上より、マスク枠体の材質を布とし、マスク蓋体の材質を不織布とすることが好ましい。
【符号の説明】
【００５０】
１、１Ａ  マスク枠体
２、２０  第１枠部（下枠部）
３  第２枠部
４、４０  第３枠部（上枠部）
５  第４枠部
６、６０  耳係止部
７、７０  マスク蓋体
８、８０  係止具
１０、１０Ａ  開口部
１００  マスク
【図１】
0003231861.tif 000003
【図２】
0003231861.tif 000004
【図３】
0003231861.tif 000005
【図４】
0003231861.tif 000006
【図５】
0003231861.tif 000007
【図６】
0003231861.tif 000008
【図７】
0003231861.tif 000009
【図８】
0003231861.tif 000010
【図９】
0003231861.tif 000011
【図１０】
0003231861.tif 000012